【手続補正書】
【提出日】平成17年5月26日(2005.5.26)
【手続補正１】
【補正対象書類名】特許請求の範囲
【補正対象項目名】全文
【補正方法】変更
【補正の内容】
【特許請求の範囲】
【請求項１】
機器の操作を指示するように設計されたプラットフォームにおいて情報を検索する方法であって、
プラットフォームのコマンドキーの起動によるイベントを受領してこれに応答し、機器の操作を指示するコマンドを機器に送信するステップと、
該コマンドの送信時に、前記プラットフォーム内で前記プラットフォームのコマンドキーに割り当てられているアドレスの情報源から情報を同時に検索するステップと、
を備えていることを特徴とする方法。
【請求項２】
プラットフォームは無線通信プロトコルを使用して機器にコマンドを送信することを特徴とする請求項１記載の方法。
【請求項３】
プラットフォームは赤外線通信プロトコルを使用して機器にコマンドを送信することを特徴とする請求項２記載の方法。
【請求項４】
コマンドキーはプラットフォームのグラフィックユーザインターフェースで表示されたコマンドアイコンであることを特徴とする請求項１記載の方法。
【請求項５】
コマンドをコマンドアイコンに割り当てる入力を受領するステップをさらに含んでいることを特徴とする請求項４記載の方法。
【請求項６】
コマンドをコマンドアイコンに割り当てる入力はユーザ起動式のプラットフォームのコマンドキーを含んでいることを特徴とする請求項５記載の方法。
【請求項７】
コマンドアイコンの画面を特定する入力を受領するステップをさらに含んでいることを特徴とする請求項６記載の方法。
【請求項８】
情報源のアドレスを指定する入力を受領するステップをさらに含んでいることを特徴とする請求項６記載の方法。
【請求項９】
アドレスはＵＲＬであることを特徴とする請求項８記載の方法。
【請求項１０】
プラットフォームのコマンドキーの起動により、プラットフォームは機器のプレーメディアにコマンドを送信し、情報源は該プレーメディアに関連する情報を含んでいることを特徴とする請求項１記載の方法。
【請求項１１】
機器はテレビであり、プラットフォームのコマンドキーの起動によるコマンドの送信は、該テレビを指定チャンネルに合わせるコマンドの送信であることを特徴とする請求項１０記載の方法。
【請求項１２】
ユーザがチャンネルを指定することを特徴とする請求項１１記載の方法。
【請求項１３】
ユーザがアドレスを指定することを特徴とする請求項１２記載の方法。
【請求項１４】
情報はプラットフォームに関連していることを特徴とする請求項１記載の方法。
【請求項１５】
情報は機器に関連していることを特徴とする請求項１記載の方法。
【請求項１６】
機器の操作を指示するように設計されたプラットフォームで情報を検索する方法であって、
プラットフォームのコマンドキーの起動によるイベントを受領してこれに応答し、プラットフォームを機器にコマンドを送信するモードにするステップと、
前記ステップと同時に前記プラットフォーム内で前記プラットフォームのコマンドキーに割り当てられているアドレスで情報源から情報を検索するステップと、
を備えていることを特徴とする方法。
【請求項１７】
機器の操作を指示しつつ情報を検索するようにプラットフォームをセットアップする方法であって、
機器によって実行される操作を送信して指示するためのプラットフォームのキーに割り当てる入力を受領する工程と、
前記プラットフォームの前記キーに割り当てられるところの、情報プロバイダのアドレスが特定される入力を受領する工程と、
前記キーの起動に応じて機器にコマンドを送信し、前記アドレスで指定された情報プロバイダからの情報を検索するステップと、
を備えていることを特徴とする方法。
【請求項１８】
アドレスはＵＲＬであることを特徴とする請求項１７記載の方法。
【請求項１９】
キーはグラフィックユーザインターフェースで表示されるソフトキーであることを特徴とする請求項１７記載の方法。
【請求項２０】
機器はチューニング式装置であり、コマンドは機器を指定チャンネルに合わせることを特徴とする請求項１７記載の方法。
【請求項２１】
チューニング式装置はテレビであることを特徴とする請求項２０記載の方法。
【請求項２２】
チューニング式装置はケーブルボックスであることを特徴とする請求項２０記載の方法。
【請求項２３】
チューニング式装置はＰＶＲであることを特徴とする請求項２０記載の方法。
【請求項２４】
チューニング式装置はＶＣＲであることを特徴とする請求項２０記載の方法。
【請求項２５】
グラフィックユーザインターフェース内に、キーと共に入手された情報を同時的に表示するステップをさらに含んでいることを特徴とする請求項１７記載の方法。
【請求項２６】
機器の操作を指示するように設計されたプラットフォームにおいて、情報検索用の指示を記憶した読取り可能なメディアであって、前記情報検索用の指示が、
プラットフォームのコマンドキーの起動によるイベントを受領してこれに応答し、機器の操作を指示するコマンドを機器に送信するステップと、
該コマンドの送信時に、前記プラットフォーム内で前記プラットフォームのコマンドキーに割り当てられているアドレスの情報源から情報を同時に検索するステップと、
を備えていることを特徴とする方法。
【請求項２７】
プラットフォームは無線通信プロトコルを使用して機器にコマンドを送信することを特徴とする請求項２６記載のメディア。
【請求項２８】
コマンドは赤外線通信プロトコルを使用して機器に送信されることを特徴とする請求項２７記載のメディア。
【請求項２９】
コマンドキーはプラットフォームのグラフィックユーザインターフェースで表示されるコマンドアイコンであることを特徴とする請求項２６記載のメディア。
【請求項３０】
コマンドをコマンドアイコンに割り当てる入力を受領するステップをさらに含んでいることを特徴とする請求項２９記載のメディア。
【請求項３１】
コマンドをコマンドアイコンに割り当てる入力はユーザ起動式プラットフォームコマンドキーを含んでいることを特徴とする請求項３０記載のメディア。
【請求項３２】
コマンドアイコンの画面を特定する入力を受領するステップをさらに含んで
いることを特徴とする請求項３１記載のメディア。
【請求項３３】
情報源のアドレスを特定する入力を受領するステップをさらに含んでいることを特徴とする請求項３１記載のメディア。
【請求項３４】
アドレスはＵＲＬであることを特徴とする請求項３３記載のメディア。
【請求項３５】
コマンドは機器のメディアをプレーするコマンドを含んでおり、情報源は該メディアに関連する情報を含んでいることを特徴とする請求項２６記載のメディア。
【請求項３６】
機器はテレビであり、コマンドは該テレビのチャンネルを合わせるコマンドを含んでいることを特徴とする請求項３５記載のメディア。
【請求項３７】
ユーザがチャンネルを指定することを特徴とする請求項３６記載のメディア。
【請求項３８】
ユーザがアドレスを指定することを特徴とする請求項３６記載のメディア。
【請求項３９】
情報はプラットフォームに関連することを特徴とする請求項２６記載のメディア。
【請求項４０】
情報は機器に関連していることを特徴とする請求項２６記載のメディア。
【請求項４１】
チューニング式装置の操作を指示するように設計されたプラットフォームにおいて、情報検索用の指示を記憶した読取り可能なメディアであって、前記情報検索用の指示が、
グラフィックユーザインターフェースでユーザに少なくとも１つのコマンドアイコンを表示するステップと、
コマンドアイコンで検出された操作に対応して機器を指定チャンネルに合わせるコマンドを送信するステップと、
前記プラットフォーム内で該コマンドアイコンに割り当てられているアドレスで情報源から情報を検索するステップと、
前記グラフィックユーザインターフェースで前記コマンドアイコンと同時に入手情報を表示するステップと、
を実行させることを特徴とするメディア。
【請求項４２】
指示は、機器の希望チャンネルをユーザに指定させることを特徴とする請求項４１記載のメディア。
【請求項４３】
指示は、アドレスをユーザに指定させることを特徴とする請求項４２記載のメディア。
【請求項４４】
アドレスはＵＲＬを特定することで指定されることを特徴とする請求項４３記載のメディア。
【請求項４５】
コマンドアイコンはコンテンツプロバイダのロゴを提供することを特徴とする請求項４４記載のメディア。
【請求項４６】
機器の操作を指示するプラットフォームであって、
コマンドキーを有するグラフィックユーザインターフェースであって、前記コマンドキーには、プラットフォーム内でコマンドが割り当てられたコマンドキーと情報源のアドレスが割り当てられたコマンドキーがあり、
該コマンドキーの起動に対応して機器にコマンドを送信する第１通信回路と、
該コマンドキーの起動に対応して前記情報源から情報を検索するアドレスを使用するための第２通信回路と、
を含んでいることを特徴とするプラットフォーム。
【請求項４７】
機器の操作を指示するように設計されたプラットフォームにおける情報検索方法であって、
コンテンツプロバイダの識別手段と、それぞれのプロバイダにより放送されるコンテンツに関連する情報とを含んだ電子プログラムガイドを表示するステップと、
ユーザが選択したコンテンツプロバイダのコンテンツが現れるチャンネルに機器を合わせるコマンドをプラットフォームに送信させる希望イベントを受領するステップと、
該希望イベントの受領に応じて、ユーザが選択したコンテンツプロバイダに前記プラットフォーム内で割り当てられているアドレスで情報源から同時に情報を検索するステップと、
を備えていることを特徴とする方法。
【請求項４８】
ユーザにアドレスを指定させるステップをさらに含んでいることを特徴とする請求項４７記載の方法。
【請求項４９】
プログラムガイドプロバイダからプラットフォームに電子プログラムガイドをダウンロードするステップをさらに含んでおり、該プログラムガイドプロバイダがアドレスを指定することを特徴とする請求項４７記載の方法。
【請求項５０】
ユーザは指定アドレスを改変できることを特徴とする請求項４９記載の方法。
【請求項５１】
ユーザが指定できる希望イベントは、コンテンツプロバイダを識別する手段としてラベル付けがされているプログラムガイド内にあって、ユーザが起動することができるコマンドアイコンによって構成されていることを特徴とする請求項４７記載の方法。
【請求項５２】
機器の操作を指示するように設計されたプラットフォームにおいて、指示を記憶した読取り可能なメディアであって、前記指示が、
コンテンツプロバイダの識別手段と、それぞれのプロバイダによって放送されているコンテンツに関した情報とを含んだ電子プログラムガイドを表示するステップと、
ユーザが選択したコンテンツプロバイダのコンテンツが現れるチャンネルに機器を合わせるコマンドを前記プラットフォームに送信させる希望イベントを受領するステップと、
該希望イベントの受領に関連して、ユーザが選択したコンテンツプロバイダに前記プラットフォーム内で割り当てられているアドレスで情報源から同時に情報を検索するステップと、
を実行させることを特徴とするメディア。
【請求項５３】
ユーザにアドレスを指定させる指示をさらに含んでいることを特徴とする請求項５２記載のメディア。
【請求項５４】
プログラムガイドのプロバイダからプラットフォームに電子プログラムガイドをダウンロードするステップをさらに含んでおり、該プログラムガイドのプロバイダがアドレスを指定することを特徴とする請求項５３記載のメディア。
【請求項５５】
アドレスの指定をユーザが行うことができることを特徴とする請求項４７記載のメディア。
【請求項５６】
ユーザが指定できる希望イベントは、コンテンツプロバイダを識別する手段としてラベル付けがされているプログラムガイド内にあって、ユーザが起動することができるコマンドアイコンによって構成されていることを特徴とする請求項５２記載のメディア。
【請求項５７】
ＩＲプロトコルを使用してコマンドを送信する指示をさらに含んでいることを特徴とする請求項５２記載のメディア。
【請求項５８】
機器の操作を指示するように設計されたプラットフォームにおける情報検索用の指示を有した読取り可能なメディアであって、該インストラクションは、
前記プラットフォームのコマンドキーの検出された起動に対応して、コンテンツストリームを機器に選択させるコマンドを該機器に送信するステップと、
前記プラットフォームの外部情報源から前記コンテンツストリームに関連する情報検索を開始するステップと、
前記プラットフォームのディスプレー内で前記検索情報を表示するステップと、
を実行させることを特徴とするメディア。
【請求項５９】
情報はプラットフォーム内で記憶されるアドレスを使用して検索されることを特徴とする請求項５８記載のメディア。
【請求項６０】
アドレスはプラットフォーム内でユーザが入力することを特徴とする請求項５９記載のメディア。
【請求項６１】
アドレスはプラットフォームの外部装置からプラットフォームに自動的に提供されることを特徴とする請求項５９記載のメディア。
【請求項６２】
コマンドは機器にチャンネルを選択させることを特徴とする請求項５８記載のメディア。
【請求項６３】
コマンドキーはプラットフォームのディスプレー内で表示される電子プログラムガイドの一部に含まれることを特徴とする請求項５８記載のメディア。
【請求項６４】
インストラクションは、機器が選択するコンテンツストリームをユーザに指定させることを特徴とする請求項５８記載のメディア。
【請求項６５】
コンテンツストリームはビデオ放送信号を含んでいることを特徴とする請求項５８記載のメディア。
【請求項６６】
コンテンツストリームはオーディオ放送信号を含んでいることを特徴とする請求項５８記載のメディア。
【請求項６７】
アドレスはＵＲＬを含んでいることを特徴とする請求項５９記載のメディア。
【請求項６８】
ディスプレーはタッチスクリーンを備えており、コマンドキーはコンテンツストリームのプロバイダのロゴを作画し、該タッチスクリーン内に表示されることを特徴とする請求項５８記載のメディア。
【請求項６９】
機器の操作を指示するように設定されたプラットフォームにおける情報検索用の指示を有した判読可能なメディアであって、該指示は、
プラットフォームのコマンドキーの検出された起動に対応して、プラットフォームを機器にコマンドを送信するモードにするステップと、該プラットフォームの外部情報源から該機器に関する情報検索を開始するステップと、
前記プラットフォームのディスプレーに前記検索情報を表示するステップと、
を実行させることを特徴とするメディア。
【請求項７０】
情報はプラットフォームで保存されるアドレスを使用して検索されることを特徴とする請求項６９記載のメディア。
【請求項７１】
アドレスはプラットフォーム内でユーザが入力することを特徴とする請求項７０記載のメディア。
【請求項７２】
アドレスはプラットフォームの外部装置から該プラットフォームに自動的に提供されることを特徴とする請求項７０記載のメディア。
【請求項７３】
アドレスはＵＲＬであることを特徴とする請求項７０記載のメディア。
【請求項７４】
情報源は機器の製造者のウェブサイトを含んでいることを特徴とする請求項７０記載のメディア。
【請求項７５】
検索情報はさらなる情報のアドレスを含んでいることを特徴とする請求項５８記載のメディア。
【請求項７６】
さらなる情報のアドレスはＵＲＬを含んでいることを特徴とする請求項７５記載のメディア。
【請求項７７】
コマンドキーは機器モード選択キーを含んでいることを特徴とする請求項６９記載のメディア。
【請求項７８】
ディスプレーはタッチスクリーンディスプレーを含んでおり、コマンドキーは該タッチスクリーンディスプレーで表示されるアイコンを含んでいることを特徴とする請求項６９記載のメディア。